(57)【要約】      （修正有）【課題】  低廉なコストで容器（容器本体）を提供する。【解決手段】  底面体形成工程と、側面体形成工程と、平面状側面体における前記底面部接合用部を折り曲げる折曲工程と、側面部の端部同士を接合して立体形状体のものとする側面部接合工程と、底面体形成工程で得られた断面略逆凹形状の底面体の中央部側が低い位置に位置するよう引っ繰り返して台座上に載せる底面体配置工程と、折曲工程および側面部接合工程を経て得られたものの底面部接合用部が上側に位置するよう引っ繰り返して底面体配置工程を経た台座上の底面体の上から配置する側面体配置工程と、側面体配置工程の後、底面体と底面部接合用部との重合部を接合する接合工程とを具備する容器製造方法。【選択図】    図４
2007125784.tif 000002
【特許請求の範囲】
【請求項１】
容器の製造方法であって、
中央部側の下面が周縁部側の下面より高い位置に在る容器本体の底面体の中央部側が低い位置に位置するよう該底面体を引っ繰り返して台座上に載せる底面体配置工程と、
前記底面体配置工程の後、容器本体における側面部及び底面部接合用部を具備して該底面部接合用部が内側に位置するよう構成された側面体を、該側面体の底面部接合用部が上側に位置するよう引っ繰り返して前記台座上の底面体の上から被せる側面体配置工程と、
前記側面体配置工程の後、前記底面体と前記底面部接合用部との重合部を接合する接合工程
とを具備することを特徴とする容器製造方法。
【請求項２】
容器の製造方法であって、
中央部側の下面が周縁部側の下面より高い位置に在る断面略逆凹形状の底面体を形成する底面体形成工程と、
樹脂製シートを打ち抜いて容器本体における側面部及び底面部接合用部を少なくとも具備する平面状側面体を形成する側面体形成工程と、
前記側面体形成工程で得られた平面状側面体における前記底面部接合用部を折り曲げる折曲工程と、
前記側面体形成工程で得られた平面状側面体における前記側面部の端部同士を接合して立体形状体のものとする側面部接合工程と、
前記底面体形成工程で得られた断面略逆凹形状の底面体の中央部側が低い位置に位置するよう引っ繰り返して台座上に載せる底面体配置工程と、
前記折曲工程および前記側面部接合工程を経て得られたものの前記底面部接合用部が上側に位置するよう引っ繰り返して前記底面体配置工程を経た台座上の底面体の上から配置する側面体配置工程と、
前記側面体配置工程の後、前記底面体と前記底面部接合用部との重合部を接合する接合工程
とを具備することを特徴とする容器製造方法。
【請求項３】
側面部が透明樹脂で構成されていることを特徴とする請求項１又は請求項２の容器製造方法。
【請求項４】
蓋体が側面体に一体的に設けられていることを特徴とする請求項１〜請求項３いずれかの容器製造方法。
【請求項５】
側面体は底面部側より開口部側の開口面積が大きなテーパー状に構成されてなることを特徴とする請求項１〜請求項４いずれかの容器製造方法。
【請求項６】
底面体と底面部接合用部との接合が溶着により行われることを特徴とする請求項１〜請求項５いずれかの容器製造方法。
【発明の詳細な説明】
【技術分野】
【０００１】
本発明は容器製造方法に関する。特に、低廉なコストで樹脂製の容器本体を提供できる容器製造方法に関する。
【背景技術】
【０００２】
容器（容器本体）は、基本的に、立体構造のものである。従って、プラスチック材料を用いて容器（容器本体）を製造しようとすると、真空成形などの技術が用いられる。
【０００３】
しかしながら、斯かる技術を用いて容器（容器本体）を製造する場合、型を必要とするので、コストが高く付く。
【発明の開示】
【発明が解決しようとする課題】
【０００４】
従って、本発明が解決しようとする課題は、低廉なコストで容器（容器本体）を提供することである。
【課題を解決するための手段】
【０００５】
前記課題を解決する為の検討を鋭意推し進めて行く中に、型代がコストアップの大きな要因であることに気付き、型を用いない、或いは型を共用して専用型を用いないようにすれば、それだけ低廉なコストで出来るであろうことに気付くに至った。
【０００６】
そして、更なる検討を推し進めて行く中に、従来の紙製容器の製造手法、即ち、紙製シートをプレス手段で打ち抜き、例えば容器本体を展開状態における所定形状に打ち抜き、そして糊代部分を接合する手法を応用できるのではないかと考えるに至った。
【０００７】
かつ、容器本体を樹脂で構成した場合、糊代部分の接合に熱溶着や超音波溶着などの溶着手段を利用でき、糊を用いて接合する場合よりも低廉なコストで出来るであろうものの、この場合には、それに応じた工夫を要するであろうと考えた。
【０００８】
又、各種の容器、即ち、少量であるものの多品種の容器が求められている今日にあっても、容器本体の底面部は共用できる場合が多いことに気付くに至った。すなわち、側面部の形状が異なれば、底面部が同じ形状であっても、ユーザー側では異なる容器であると感じ取ってしまうことから、側面部は異なるけれども底面部は同一の容器の場合が縷々有ることに気付くに至った。
【０００９】
又、プラスチック製の容器に対しては紙製の容器に比べて強度が要求されることも多く、このような観点から容器本体にリブを形成することが望まれている。すなわち、容器本体の底面部あるいは側面部にリブ（立体構造部）が形成されていることが望まれている。
【００１０】
このようなことから、容器本体の底面部と側面部とは異なる技術を用いて形成し、この後、両者を接合すれば、低廉なコストで機械的強度に富む容器（容器本体）が得られるであろうと考えるに至った。すなわち、底面部を真空成形などの技術を用いて形成し、かつ、側面部を打抜技術を用いて形成し、そして両者を溶着すれば、多品種の容器を低廉なコストで提供できるであろうと考えるに至った。
上記知見を基にして本発明がなされたものである。
【００１１】
すなわち、前記の課題は、容器の製造方法であって、
中央部側の下面が周縁部側の下面より高い位置に在る容器本体の底面体の中央部側が低い位置に位置するよう該底面体を引っ繰り返して台座上に載せる底面体配置工程と、
前記底面体配置工程の後、容器本体における側面部及び底面部接合用部を具備して該底面部接合用部が内側に位置するよう構成された側面体を、該側面体の底面部接合用部が上側に位置するよう引っ繰り返して前記台座上の底面体の上から被せる側面体配置工程と、
前記側面体配置工程の後、前記底面体と前記底面部接合用部との重合部を接合する接合工程
とを具備することを特徴とする容器製造方法によって解決される。
【００１２】
特に、容器の製造方法であって、
中央部側の下面が周縁部側の下面より高い位置に在る断面略逆凹形状の底面体を形成する底面体形成工程と、
樹脂製シートを打ち抜いて容器本体における側面部及び底面部接合用部を少なくとも具備する平面状側面体を形成する側面体形成工程と、
前記側面体形成工程で得られた平面状側面体における前記底面部接合用部を折り曲げる折曲工程と、
前記側面体形成工程で得られた平面状側面体における前記側面部の端部同士を接合して立体形状体のものとする側面部接合工程と、
前記底面体形成工程で得られた断面略逆凹形状の底面体の中央部側が低い位置に位置するよう引っ繰り返して台座上に載せる底面体配置工程と、
前記折曲工程および前記側面部接合工程を経て得られたものの前記底面部接合用部が上側に位置するよう引っ繰り返して前記底面体配置工程を経た台座上の底面体の上から配置する側面体配置工程と、
前記側面体配置工程の後、前記底面体と前記底面部接合用部との重合部を接合する接合工程
とを具備することを特徴とする容器製造方法によって解決される。
【００１３】
又、上記本発明の容器製造方法であって、前記側面部が透明樹脂で構成されていることを特徴とする容器製造方法によって解決される。
【００１４】
又、上記本発明の容器製造方法であって、前記蓋体が側面体に一体的に設けられていることを特徴とする容器製造方法によって解決される。
【００１５】
又、上記本発明の容器製造方法であって、前記側面体は底面部側より開口部側の開口面積が大きなテーパー状に構成されてなることを特徴とする容器製造方法によって解決される。
【００１６】
又、上記本発明の容器製造方法であって、前記底面体と底面部接合用部との接合が溶着により行われることを特徴とする容器製造方法によって解決される。
【発明の効果】
【００１７】
本発明にあっては、容器本体の側面部と底面部とが別体で構成されていることから、各々を異なる技術で形成できる。例えば、底面部を真空成形などの技術を用いて形成できる。かつ、側面部はシートを打ち抜くことで簡単、かつ、低廉なコストで形成できる。そして、容器の全体形状が異なれども、底面部は同一形状と言う場合も縷々有ることから、必要とする型は少なくて済む。従って、型代コストを削減でき、容器の製造コストが低廉なものになる。
【００１８】
本発明にあっては、上下を逆に引っ繰り返して配置した底面体の上から立体形状の側面体を被せるように配置し、そして側面部から延びた底面部接合用部と底面体とを接合するものである。この時、側面部が透明樹脂で構成されていると、互いの位置が大きくズレているか否かのチェックが簡単である。従って、側面部は透明樹脂で構成されていることが好ましい。
【００１９】
本発明にあっては、蓋体が一体的に構成されていない、即ち、別体構造のものでも良い。しかしながら、蓋体が側面体に一体的に構成されている構造のものにあっては、上記のようにして行うと、簡単に製造できる。すなわち、底面部接合用部と底面部との接合に際して、蓋体が邪魔にならず、スムーズに容器を製造できる。
【００２０】
本発明にあっては、容器本体の側面部が口径が同一の寸胴タイプのものでも実施できる。しかしながら、側面体は底面部側より開口部側の開口面積が大きなテーパー状に構成されている場合、本発明の適用が容易になる。すなわち、側面体の底面部接合用部が上側に位置するよう引っ繰り返して台座上の底面体の上から被せる場合、側面体は底面部側より開口部側の開口面積が大きなテーパー状に構成されていると、その作業性が向上する。
【００２１】
本発明にあっては、底面体と底面部接合用部との接合は接着剤を用いることも出来る。しかしながら、何れもが樹脂で構成されていると、熱溶着などの溶着手段を用いて簡単に接合できる。そして、熱溶着などの溶着手段で接合する場合、上記本発明の如くに構成させていると、問題が起き難い。例えば、加熱プレートによる加熱で溶着する場合、底面体は、その中央部側の下面が周縁部側の下面より高い位置に在るよう構成されているので、加熱プレートと底面体中央部との間には隙間が有り、底面体中央部は熱的損傷を受け難い。
【発明を実施するための最良の形態】
【００２２】
本発明になる容器（容器本体）製造方法は、中央部側の下面が周縁部側の下面より高い位置に在る容器本体の底面体の中央部側が低い位置に位置するよう該底面体を引っ繰り返して台座上に載せる底面体配置工程と、前記底面体配置工程の後、容器本体における側面部及び底面部接合用部を具備して該底面部接合用部が内側に位置するよう構成された側面体を、該側面体の底面部接合用部が上側に位置するよう引っ繰り返して前記台座上の底面体の上から被せる側面体配置工程と、前記側面体配置工程の後、前記底面体と前記底面部接合用部との重合部を接合する接合工程とを具備する。又、中央部側の下面が周縁部側の下面より高い位置に在る断面略逆凹形状の底面体を形成する底面体形成工程と、樹脂製シートを打ち抜いて容器本体における側面部及び底面部接合用部を少なくとも具備する平面状側面体を形成する側面体形成工程と、前記側面体形成工程で得られた平面状側面体における前記底面部接合用部を折り曲げる折曲工程と、前記側面体形成工程で得られた平面状側面体における前記側面部の端部同士を接合して立体形状体のものとする側面部接合工程と、前記底面体形成工程で得られた断面略逆凹形状の底面体の中央部側が低い位置に位置するよう引っ繰り返して台座上に載せる底面体配置工程と、前記折曲工程および前記側面部接合工程を経て得られたものの前記底面部接合用部が上側に位置するよう引っ繰り返して前記底面体配置工程を経た台座上の底面体の上から配置する側面体配置工程と、前記側面体配置工程の後、前記底面体と前記底面部接合用部との重合部を接合する接合工程とを具備する。前記側面部は透明樹脂で構成されている。又、蓋体が側面体に一体的に設けられている。又、側面体は底面部側より開口部側の開口面積が大きなテーパー状に構成されている。又、前記底面体と底面部接合用部との接合は溶着により行われる。
以下、更に、詳しく説明する。
【００２３】
図１〜図４は本発明の一実施形態を説明する為のものであって、図１は本発明になる容器（蓋付き容器本体）の側面体（蓋部＋側面部＋底面部接合用部）の展開図、図２は底面体の斜視図であり、図３は台座上に底面体が配置された状態での側面図、図４は底面体上に側面体が配置された状態での側面図である。
【００２４】
先ず、図１に示される如く、例えばポリエチレンテレフタレートとかポリプロピレン等の透明樹脂からなるシートを、所定のプレス手段により打ち抜き、側面体Ａを形成する。尚、このプレス打抜時に際して、各領域の境界線上に折曲ライン（図１中、点線で図示）が形成される。図１中、１，２，３，４は側面部である。５は側面部１から延びる糊代部であり、糊代部５は側面部１と側面部４とを連結する為のものである。６，７，８，９は側面部１，２，３，４から延びる糊代部であり、糊代部６，７，８，９は側面部１，２，３，４と底面体とを連結する為のものである。１０は側面部２から延びる蓋部である。尚、図１中、「１００」等の数字はｍｍ単位での寸法を示すものである。
【００２５】
そして、プレス打ち抜き後、折曲ラインに沿って各部が折り曲げられ、容器形状に近い形状のものに組み立てられる。すなわち、糊代部６，７，８，９が容器本体の内側に位置するよう側面部１，２，３，４に対して９０°折り曲げられ、かつ、糊代部５が側面部４と重なるように折り曲げられ、そして糊代部５が側面部４に対して接合される。尚、この接合は熱溶着手段を用いることも出来るが、溶着跡が出来ることから、接着剤（粘着剤）を用いて接合される。これによって、底面体が無い以外は容器と略同構造の前駆体Ｂが出来る。
【００２６】
一方、図２に示される如く、型を用いた真空成形技術によって所定の形状に底面体Ｃが形成される。勿論、この底面体Ｃは、上記前駆体Ｂにおける側面部１，２，３，４の下端位置で囲まれる四角形の形よりも小さいものの、糊代部６，７，８，９の内形よりも大きな四角形の形に成形されたものである。すなわち、点線で示す折曲ラインに沿って側面体Ａを折曲した際、この容器の内側に突出した糊代部６，７，８，９面上に底面体Ｃが載り掛かる形状に形成されている。更に、底面体Ｃは、中央部１１側の下面が周縁部１２側の下面より高い位置に在るよう立体構造（リブ構造）を有するように形成されている。尚、底面体Ｃは、側面体Ａと同様な透明樹脂材で構成されている。
【００２７】
さて、底面体Ｃが形成された後、この底面体Ｃは熱溶着用の台座Ｄ上に配置される（図３参照）。尚、底面体Ｃの上下面を引っ繰り返して底面体Ｃは台座Ｄ上に配置される。この台座Ｄは底面体Ｃの形状と略相似の形状をしている。すなわち、台座Ｄの中央部は凹状に窪んでおり、この凹部２１内に底面体Ｃの中央部１１が嵌り込むことが出来るようになっている。尚、凹部２１内に底面体Ｃの中央部１１が嵌り込むように配置しても、台座Ｄの凹部２１内面と底面体Ｃの中央部１１との間には隙間が出来るよう凹部２１の深さは深く形成されている。従って、底面体Ｃを熱溶着用の台座Ｄ上に配置した場合、台座Ｄに接触している底面体Ｃは周縁部１２の部分のみである。
【００２８】
この後、台座Ｄ上に載せた底面体Ｃの上から、側面体Ａを折曲ラインに沿って折曲した略容器形状の前駆体Ｂが配置される。この時、前駆体Ｂの上部開口部側が下側となるよう、即ち、糊代部６，７，８，９側が上側に位置するように前駆体Ｂは上下を引っ繰り返して配置される。従って、底面体Ｃの周縁部１２の下面と糊代部６，７，８，９の上面とが接合するようになる（図４参照）。
【００２９】
この後、図４の状態において、糊代部６，７，８，９の上方から加熱プレートＥが降下して来る。これによって、底面体Ｃの周縁部１２と糊代部６，７，８，９とが溶着・一体化され、容器が出来る。
【図面の簡単な説明】
【００３０】
【図１】本発明になる側面体の展開図
【図２】本発明になる底面体の斜視図
【図３】台座上に底面体が配置された状態での側面図
【図４】底面体上に側面体が配置された状態での側面図
【符号の説明】
【００３１】
Ａ                  側面体
Ｂ                  前駆体
Ｃ                  底面体
Ｄ                  台座
Ｅ                  加熱プレート
１，２，３，４      側面部
５，６，７，８，９  糊代部
１０                蓋部
１１                底面体中央部
１２                底面体周縁部
２１                凹部
代  理  人  宇  高  克  己
【図１】
2007125784.tif 000003
【図２】
2007125784.tif 000004
【図３】
2007125784.tif 000005
【図４】
2007125784.tif 000006